(57)【特許請求の範囲】
【請求項１】
発光部と、基部と、を有するバルブを保持するバルブソケットであって、
前記バルブの基部を受け入れる挿入孔を有したソケット本体と、
前記ソケット本体に取り付けられて前記基部と電気的に接続される端子金具と、を備え、
前記端子金具は、前記ソケット本体に固定される固定部と、該固定部から延びて前記基部を挟持する一対の端子部と、を有し、
前記一対の端子部は、それぞれ前記基部を挟持する方向への付勢力を生じさせるばね部と、該ばね部の先端側に設けられる接点部と、を有し、
前記ソケット本体には、前記端子部のそれぞれに対向するとともに前記基部と反対側から該端子部に当接することで、前記ばね部の弾性変形量を所定値以内に規制する一対の規制部が設けられ、
前記端子金具において、前記固定部から前記一対の端子部に延びる中心線と、前記一対の端子部同士の中心線と、が互いに偏心して設けられ、前記ソケット本体において、前記一対の規制部が前記一対の端子部の各々と等距離に設けられていることを特徴とするバルブソケット。
【請求項２】
前記規制部は、前記ばね部における前記固定部側の基端部に対向する位置から前記接点部に対向する位置に向かうにしたがって前記端子部から離れる方向に傾斜した傾斜面部を有して形成されていることを特徴とする請求項１に記載のバルブソケット。
【請求項３】
前記一対の端子部における前記接点部は、前記ばね部との連続部分から相手方の端子部に向かって折れ曲がる折曲部と、この折曲部に連続して相手方の端子部に向かって凸の曲面を有した曲面部と、を有して形成され、
前記規制部は、前記折曲部と、前記曲面部の先端部と、前記ばね部の基端部と、の少なくとも１つに当接可能とされていることを特徴とする請求項１又は２に記載のバルブソケット。
【請求項４】
前記規制部は、前記接点部における前記折曲部に当接可能な第一当接部と、前記先端部に当接可能な第二当接部と、を有し、前記第二当接部が前記第一当接部よりも前記挿通孔の開口側に位置し、かつ該挿通孔の中心からの距離が前記第二当接部と前記第一当接部とで異なる段付き状に形成されていることを特徴とする請求項３に記載のバルブソケット。
【請求項５】
請求項１〜４のいずれか一項に記載のバルブソケットと、
前記バルブソケットに保持されるバルブと、
前記バルブソケット及び前記バルブを覆う保護カバーと、
前記バルブソケット及び前記保護カバーに固定されるとともに前記バルブの発光部からの光を透過させる透過レンズと、を備えたことを特徴とする照明装置。
【発明の詳細な説明】
【技術分野】
【０００１】
本発明は、バルブを保持するバルブソケット及び照明装置に関するものである。
【背景技術】
【０００２】
自動車等の車両の天井部分に設けられる車載用室内照明装置などにおいて、例えば、ウェッジベースバルブ等のバルブを装着するための樹脂製のソケット本体と、このソケット本体に設けられた一対の給電端子（端子金具）と、を備え、ソケット本体の装着孔にバルブのベース部（基部）を挿入し、ベース部を一対の給電端子に挟持させるバルブソケット構造が提案されている（例えば、特許文献１参照）。特許文献１記載のバルブソケット構造において、図８に示すように、一対の給電端子１０１は、バルブ１１０のベース部１１１を挟持する一対の挟持片１０２を有して構成され、それらの間にベース部１１１を挿入することで一対の挟持片１０２が互いに離隔する方向に弾性変形し、この変形に伴う付勢力によってベース部１１１を挟持する。さらに、ソケット１００の装着孔１０３にはスペーサ１２０が取り付けられ、このスペーサ１２０には、図９に示すように、規制壁１２１が設けられており、ベース部１１１の挿入によって弾性変形した挟持片１０２に規制壁１２１を当接させることで、挟持片１０２の過大な変形が防止できるようになっている。
【先行技術文献】
【特許文献】
【０００３】
【特許文献１】特開２０１０−２１２０６６号公報
【発明の概要】
【発明が解決しようとする課題】
【０００４】
しかしながら、特許文献１に記載されたような従来のバルブソケットでは、スペーサ１２０を用いてバルブ１１０を案内するとともに、挟持片１０２の過大な変形を規制しているため、ソケット１００と別の部品であるスペーサ１２０が必要となり、部品点数が増加するという不都合が生じる。さらに、ソケット１００の装着孔１０３にスペーサ１２０を挿入して係合させるためにソケット１００が大型化するとともに、このソケット１００からスペーサ１２０が突出して設けられる場合には、バルブソケット全体及び照明装置がさらに大型化してしまうという不都合も生じる。
【０００５】
したがって、本発明は、部品点数の削減と装置の小型化を図りつつ端子金具の過大な変形を抑制することができるバルブソケット及び照明装置を提供することを目的とする。
【課題を解決するための手段】
【０００６】
上記目的を達成するために請求項１に記載のバルブソケットは、発光部と、基部と、を有するバルブを保持するバルブソケットであって、前記バルブの基部を受け入れる挿入孔を有したソケット本体と、前記ソケット本体に取り付けられて前記基部と電気的に接続される端子金具と、を備え、前記端子金具は、前記ソケット本体に固定される固定部と、該固定部から延びて前記基部を挟持する一対の端子部と、を有し、前記一対の端子部は、それぞれ前記基部を挟持する方向への付勢力を生じさせるばね部と、該ばね部の先端側に設けられる接点部と、を有し、前記ソケット本体には、前記端子部のそれぞれに対向するとともに前記基部と反対側から該端子部に当接することで、前記ばね部の弾性変形量を所定値以内に規制する一対の規制部が設けられ、前記端子金具において、前記固定部から前記一対の端子部に延びる中心線と、前記一対の端子部同士の中心線と、が互いに偏心して設けられ、前記ソケット本体において、前記一対の規制部が前記一対の端子部の各々と等距離に設けられていることを特徴とする。
【０００７】
請求項２に記載のバルブソケットは、請求項１に記載されたバルブソケットにおいて、前記規制部は、前記ばね部における前記固定部側の基端部に対向する位置から前記接点部に対向する位置に向かうにしたがって前記端子部から離れる方向に傾斜した傾斜面部を有して形成されていることを特徴とする。
【０００８】
請求項３に記載のバルブソケットは、請求項１又は２に記載されたバルブソケットにおいて、前記一対の端子部における前記接点部は、前記ばね部との連続部分から相手方の端子部に向かって折れ曲がる折曲部と、この折曲部に連続して相手方の端子部に向かって凸の曲面を有した曲面部とを有して形成され、前記規制部は、前記折曲部と、前記曲面部の先端部と、前記ばね部の基端部と、の少なくとも１つに当接可能とされていることを特徴とする。
【０００９】
請求項４に記載のバルブソケットは、請求項３に記載されたバルブソケットにおいて、前記規制部は、前記接点部における前記折曲部に当接可能な第一当接部と、前記先端部に当接可能な第二当接部と、を有し、前記第二当接部が前記第一当接部よりも前記挿通孔の開口側に位置し、かつ該挿通孔の中心からの距離が前記第二当接部と前記第一当接部とで異なる段付き状に形成されていることを特徴とする。
【００１０】
請求項５に記載の照明装置は、請求項１〜４のいずれか一項に記載のバルブソケットと、前記バルブソケットに保持されるバルブと、前記バルブソケット及び前記バルブを覆う保護カバーと、前記バルブソケット及び前記保護カバーに固定されるとともに前記バルブの発光部からの光を透過させる透過レンズと、を備えたことを特徴とする。
【発明の効果】
【００１１】
請求項１に記載された発明によれば、一対の端子部間に基部を挿入することによりばね部が弾性変形し、互いに離れる方向へ移動する端子部に規制部を当接させることで、ばね部の過大な変形を抑制することができる。また、規制部がソケット本体に設けられていることで、別部材を用意する必要がなくなることから、バルブソケットを小型化することができる。
【００１２】
請求項２に記載された発明によれば、規制部が傾斜面部を有して形成されていることで、ばね部の弾性変形に伴って移動する端子部における先端側（接点部側）に沿って傾斜面部を配置することができ、端子部と規制部とを確実に当接させることができる。
【００１３】
請求項３に記載された発明によれば、接点部が折曲部と曲面部とを有する場合に、これらの折曲部、曲面部の先端部、及びばね部の基端部の少なくとも１箇所を規制部に当接させることで、ばね部の過大な変形を確実に抑制することができる。なお、折曲部、曲面部の先端部、及びばね部の基端部のうちから複数箇所を規制部に当接させるようにすれば、さらに確実にばね部の過大な変形を抑制することができる。
【００１４】
請求項４に記載された発明によれば、規制部が第一当接部と第二当接部とを有し、第二当接部が第一当接部よりも挿通孔の開口側かつ径方向に段付き状に形成されていることで、端子部の接点部を移動させるための空間を確保しつつ、折曲部や曲面部の先端部を第一当接部や第二当接部に確実に当接させることができる。
【００１５】
請求項５に記載された発明によれば、前述のバルブソケットと同様に、照明装置において、端子部におけるばね部の過大な変形を抑制することができるとともに、バルブソケットにおける部品点数の削減と小型化を図ることができるので、照明装置の低コスト化と省スペース化を促進させることができる。また、端子部におけるばね部のへたりを防止できるので、バルブの保持力低下を抑制することができ、バルブのがたつきや脱落が防止できるとともに、端子金具とバルブとの電気的接続を良好に維持できることで、バルブの点灯不良の発生なども抑制することができる。また、バルブを保持したバルブソケットを保護カバーで覆うことで、バルブに対して外力が作用しにくくでき、ばね部への過度なストレスを抑制することができる。
【図面の簡単な説明】
【００１６】
【図１】本発明の一実施の形態に係る照明装置を示す分解斜視図である。
【図２】前記照明装置に用いられるバルブを示す斜視図である。
【図３】前記バルブを示す三面図である。
【図４】前記照明装置のバルブソケットを示す正面図である。
【図５】前記バルブソケットに設けられる端子金具を示す側面図である。
【図６】前記バルブソケットへのバルブの取付手順を示す断面図である。
【図７】前記バルブソケットの作用を説明する拡大断面図である。
【図８】従来技術に係る照明装置を示す分解斜視図である。
【図９】前記端子金具におけるバルブの保持状態を示す部分断面図である。
【発明を実施するための形態】
【００１７】
以下、本発明の一実施形態にかかる照明装置を、図１ないし図７に基づいて説明する。本実施形態に係る照明装置１は、自動車等の車両における乗員室内の表面に配置されるルーフトリムやドアトリムなどに取り付けられる室内照明装置であって、特に、ドアトリムの設けられるドアカーテシランプとして好適である。照明装置１は、図１に示すように、バルブ（電球）２と、このバルブ２を保持するバルブソケット３と、バルブ２及びバルブソケット３を覆う保護カバー４と、バルブソケット３及び保護カバー４に固定されてバルブ２から照射される光を透過させる透過レンズ５と、を備えて構成されている。
【００１８】
バルブ２は、図２，３にも示すように、内部にフィラメント等を有する発光部２１と、この発光部２１の軸方向に連続して口金として機能する基部２２と、この基部２２の側面に沿って設けられた一対の接点リード２３と、を備えたウェッジベースバルブである。基部２２は、絶縁性を有する樹脂部品であって、発光部２１の基端部中央から延びる円柱部２４と、この円柱部２４から径方向の互いに反対向きに延びる一対の平板部２５，２６と、を有して形成されている。
【００１９】
円柱部２４は、バルブソケット３に対するバルブ２の挿入方向（図３のＸ方向）に沿って延び、この挿入方向に沿った円柱部２４の中心軸Ｃに対して基部２２が線対称に形成されている。即ち、基部２２は、円柱部２４の中心軸Ｃに対して、平板部２５，２６の延出方向（図３のＹ方向）と、平板部２５，２６の厚さ方向（図３のＺ方向）と、の両方向に関してそれぞれ左右対称に形成されている。また、各平板部２５，２６の挿入方向中間位置には、延出方向に沿って凹溝状に凹んだ溝部２５Ａ，２６Ａが形成されている。なお、以下では、バルブ２の挿入方向を単にＸ方向と記す場合があり、平板部２５，２６の延出方向を単にＹ方向と記す場合があり、平板部２５，２６の厚さ方向を単にＺ方向と記す場合がある。
【００２０】
接点リード２３は、発光部２１内部のフィラメント等に接続された銅線などからなる導電性の線材であって、一方の接点リード２３がバルブ２の正極又は負極を構成し、他方の接点リード２３がバルブ２の負極又は正極を構成している。これら一対の接点リード２３は、それぞれ平板部２５，２６の挿入方向先端面から突出し、一方の接点リード２３は、平板部２５の一方側側面に沿って挿入方向の発光部２１側に延び、他方の接点リード２３は、平板部２６の他方側側面に沿って挿入方向の発光部２１側に延びて、それぞれ平板部２５，２６の各表面に貼り付けられている。即ち、接点リード２３は、その軸径分だけ各側面２５Ｂ，２６Ｂから突出して設けられ、その軸径が平板部２５，２６の表面からの接点リード２３の突出寸法Ｒとなっている。
【００２１】
バルブソケット３は、図１，４に示すように、バルブ２の基部２２を受け入れる挿入孔３２を有したソケット本体としてのハウジング３１と、このハウジング３１の内部に設けられてバルブ２の接点リード２３と電気的に接続される一対の端子金具としてのバスバー６（第一バスバー６Ａ及び第二バスバー６Ｂ）と、を備える。ハウジング３１は、絶縁性を有する樹脂製一体成形品であって、全体筒状に形成され、挿入孔３２の内部には、端子金具６を保持する一対の端子保持部３３と、バルブ２の円柱部２４を挿入方向に案内して位置決めするバルブ案内部３４と、が形成されている。ハウジング３１の外面には、保護カバー４を係止するカバー係止部３５と、透過レンズ５に係合するレンズ係合部３６と、が形成されている。ハウジング３１には、保護カバー４を通して図示しない電線が配索され、この電線がハウジング３１内部でバスバー６に接続されてバルブ２に電力が供給される。このようなハウジング３１に対して、バルブ２は、図３に示す中心軸Ｃを通りＹ方向に沿った中心平面Ｐが、図４に示す挿入孔３２の中心平面Ｐ１と一致するように位置決めされて保持される。
【００２２】
バスバー６は、導電性金属板を打ち抜き加工や曲げ加工を施すことにより形成され、図５に示すように、ハウジング３１に固定されるとともに電線に接続される固定部６１と、この固定部６１から延びる延長部６２と、この延長部６２の先端部にて拡幅された拡幅部６３と、延長部６２の途中から折れ曲がって連続する一対の端子部６４（第一端子部６４Ａ及び第二端子部６４Ｂ）と、を有して構成されている。なお、本実施形態において、第一バスバー６Ａと第二バスバー６Ｂとは、同一形状を有した共通形態の部材であり、図４に示すように、第一バスバー６Ａと第二バスバー６Ｂとが互いに左右反転した状態で互いに対向する、即ち、第一バスバー６Ａと第二バスバー６Ｂとは、挿入孔３２の中心軸（バルブ２の中心軸Ｃと一致する軸）に対して互いに線対称となるようにハウジング３１に取り付けられている。
【００２３】
固定部６１は、バルブ２の挿入方向と同一方向に沿ってハウジング３１の挿入孔３２の奥側に挿入され、バルブ２の挿入方向に沿った長尺板状、かつ中心軸Ｃ１を中心とした所定の幅寸法を有して形成されている。延長部６２は、固定部６１からクランク状に折れ曲がるとともに、挿入孔３２の開口側に延びて設けられている。拡幅部６３は、延長部６２の先端（挿入孔３２の開口側先端）から挿入方向と交差して両側に延び、即ち、延長部６２と拡幅部６３とがＴ字形となるように形成されている。この拡幅部６３の両側端部には、鈍角に折り曲げられた被保持部６３Ａが形成され、これらの被保持部６３Ａがハウジング３１の端子保持部３３に保持されることで、バスバー６の移動が規制されるようになっている。
【００２４】
一対の端子部６４である第一端子部６４Ａ及び第二端子部６４Ｂは、それぞれ延長部６２に連続してバルブ２の挿入方向に延びるばね部６５と、このばね部６５の先端側に設けられて曲面状に曲げられた接点部６６と、を有して形成されている。これら一対の端子部６４は、バルブ２の挿入方向に沿った中心軸Ｃ２を挟んで対称に設けられ、各端子部６４の接点部６６間にバルブ２の基部２２を挟持する。ばね部６５は、延長部６２から折れ曲がった位置である基端部６５Ａから挿入孔３２の開口側に向かって片持ち状に延びて形成され、各端子部６４の接点部６６同士を離間接近させるように弾性変形可能に設けられている。接点部６６は、ばね部６５の先端部との連続部分から相手方の端子部６４に向かって折れ曲がる折曲部６６Ａと、この折曲部６４に連続して相手方の端子部６４に向かって凸の曲面を有した曲面部６６Ｂと、を有して形成され、曲面部６６Ｂの先端部６６Ｃがばね部６５よりも中心軸Ｃ２から離れた位置に設けられている。
【００２５】
保護カバー４は、絶縁性を有する樹脂製一体成形品であって、全体略半円筒状に形成されたカバー本体部４１と、このカバー本体部４１の一端部に形成されてバルブソケット３に取り付けられたバルブ２の発光部２１を覆う端面部４２と、この端面部４２よりも突出して形成された一対のフランジ部４３と、を有している。カバー本体部４１の内部には、バルブ２の発光部２１から照射された光を透過レンズ５に向かって反射する反射面が設けられるとともに、バルブソケット３のカバー係止部３５に係止される被係止部４４が形成されている。この被係止部４４は、図１の上方から下方に向かって保護カバー４をバルブソケット３に向かって押し付けることでカバー係止部３５に係止可能であるとともに、カバー本体部４１の側面に設けた貫通部４５からの操作で係止解除可能になっている。また、一対のフランジ部４３には、透過レンズ５に係合するレンズ係合部４６が形成されている。
【００２６】
透過レンズ５は、透明または半透明の樹脂製で適宜な曲面板状に形成されたレンズ本体５１と、このレンズ本体５１の内面から突出して形成された第一取付部５２及び第二取付部５３と、を有している。第一取付部５２には、バルブソケット３の後端部に沿って外方に突出する係止片５４と、バルブソケット３のレンズ係合部３６に係合可能な一対の第一係合部５５と、が形成されている。第二取付部５３には、図示しない車両の内装材に係合可能なロック部５６と、保護カバー４のレンズ係合部４６に係合可能な一対の第二係合部５７と、が形成されている。
【００２７】
以上の照明装置１は、以下のようにして組み立てられるとともに車両の内装材に取り付けられる。先ず、ハウジング３１にバスバー６を取り付けたバルブソケット３に対し、挿入孔３２に基部２２を挿入してバルブ２を保持させるとともに、バルブソケット３のカバー係止部３５に保護カバー４の被係止部４４を係止させることで、バルブ２、バルブソケット３及び保護カバー４を組み合わせて機能部を構成する。次に、バルブソケット３及び保護カバー４のレンズ係合部３６，４６を透過レンズ５の第一及び第二の係合部５５，５７にスライドさせつつ係合させることで、機能部に透過レンズ５を取り付けた照明装置１を組み立てる。このように照明装置１を組立ててから、内装材に設けた凹みなどに保護カバー４の側から挿入しつつ、内装材の取付部に透過レンズ５の係止片５４を係止させるとともにロック部５６を係合させることで、車両への照明装置１の取り付けが完了する。
【００２８】
また、バルブソケット３のハウジング３１に対してバスバー６は、挿入孔３２の中心平面Ｐ１に固定部６１の中心軸Ｃ１を一致させた状態で、端子保持部３３に挿入されて取り付けられている。ここで、バスバー６において、固定部６１の中心線Ｃ１と、延長部６２及び一対の端子部６４の中心線Ｃ２とは、互いに偏心して設けられ、中心線Ｃ１に対して中心線Ｃ２が第一端子部６４Ａの側に偏心距離ｅだけずれて設けられている。このような一対の端子部６４の偏心距離ｅは、バルブ２の基部２２における接点リード２３の突出寸法Ｒに応じて設定されている。具体的には、図３に示すように、基部２２における平板部２５，２６の厚さ寸法ｔに接点リード２３の突出寸法Ｒを加えた距離（即ち、ｔ＋Ｒ）を１／２にした位置、即ち、平板部２５，２６の厚さ方向の中心平面Ｐから接点リード２３の側に突出寸法Ｒの１／２だけ偏心した位置に、一対の端子部６４の中心線Ｃ２が合致するように偏心距離ｅが設定されている（即ち、ｅ＝Ｒ／２）。
【００２９】
次に、図６，７も参照してバルブソケット３に対するバルブ２の保持構造を説明する。ハウジング３１の挿通孔３２内部には、バスバー６の端子部６４に対向して位置し、ばね部６５の弾性変形量を所定値以内に規制する規制部３７が設けられている。規制部３７は、図７に示すように、端子部６４におけるばね部６５の基端部６５Ａに対向する位置から接点部６６に対向する位置に向かうにしたがって端子部６４から離れる方向に傾斜した傾斜面部３７Ａと、傾斜面部３７Ａに連続して挿通方向と平行に挿通孔３２の開口側に延びる平坦面部３７Ｂと、平坦面部３７Ｂから挿通孔３２の開口側かつ端子部６４から離れる方向に段付き状に形成される段付き部３７Ｃと、を有して形成されている。このような規制部３７において、平坦面部３７Ｂによって、接点部６６における折曲部６６Ａに当接可能な第一当接部が構成され、段付き部３７Ｃによって、先端部６６Ｃに当接可能な第二当接部が構成されている。また、傾斜面部３７Ａがばね部６５の基端部６５Ａに当接可能に構成されていてもよい。
【００３０】
次に、図６（ａ）に示すように、ハウジング３１の挿通孔３２にバルブ２の基部２２が挿入されると、基部２２における接点リード２３が第一端子部６４Ａの接点部６６に摺接するとともに、基部２２における平板部２５（又は平板部２６）の側面が第二端子部６４Ｂの接点部６６に摺接する。これにより、図６（ｂ）及び図７に示すように、第一端子部６４Ａ及び第二端子部６４Ｂが互いに離隔する方向に押し拡げられ、各端子部６４のばね部６５が弾性変形することによって、各接点部６６間に基部２２を挟持する付勢力が作用する。この際、前述のように各端子部６４の偏心距離ｅが設定されていることから、第一端子部６４Ａと第二端子部６４Ｂとで各接点部６６の移動距離が等しくなり、各ばね部６５から同等の付勢力が作用するようになっている。
【００３１】
以上のようにバルブ２の挿入に伴って基部２２に押し拡げられた端子部６４は、図７（ａ）に示すように、接点部６６における折曲部６６Ａが規制部３７の平坦面部３７Ｂに近接し、接点部６６における先端部６６Ｃが規制部３７の段付き部３７Ｃに近接する。ここで、図７（ｂ）に矢印で示すように、バルブ２の挿入方向と交差する方向に力が作用した場合には、折曲部６６Ａが平坦面部３７Ｂに当接し、これと同時又は前後して先端部６６Ｃが段付き部３７Ｃに当接することで、接点部６６の移動つまりばね部６５の弾性変形が所定位置以内に規制されるようになっている。その後、さらにバルブ２を挿入することで、図６（ｃ）に示すように、各端子部６４の接点部６６が基部２２における平板部２５，２６の溝部２５Ａ，２６Ａに没入し、これによって端子部６４間に基部２２が挟持されるとともに挿入方向に係止され、バルブソケット３にバルブ２が保持された保持状態が構成される。
【００３２】
また、バルブ２の保持状態において、バルブ２に挿入方向と交差する方向の力が作用した場合においても、基部２２を挟持した端子部６４の一方が規制部３７に接近するように変形し、接点部６６における折曲部６６Ａ及び先端部６６Ｃが規制部３７の平坦面部３７Ｂの段付き部３７Ｃに当接することで、端子部６４の変形が規制され、ばね部６５の過大な変形が抑制できるようになっている。さらに、保持状態からバルブ２を取り外す場合にも、押し拡げられた端子部６４の変形が規制部３７によって規制されることで、ばね部６５の過大な変形が抑制できるようになっている。
【００３３】
本実施形態によれば、端子部６４の変形が規制部３７によって規制されることで、ばね部６５の過大な変形及びストレスを抑制することができ、ばね部６５のへたりを防止するとともに、規制部３７がハウジング３１に一体に設けられていることで、別部材を用意する必要がなくなることから、バルブソケット３ならびに照明装置１を小型化することができる。さらに、ばね部６５のへたりを防止できるので、バルブ２の保持力低下を抑制することができ、バルブ２のがたつきや脱落が防止できるとともに、バスバー６とバルブ２の接点リード２３との電気的接続を良好に維持できることで、バルブ２の点灯不良の発生なども抑制することができる。
【００３４】
なお、前述した実施形態は本発明の代表的な形態を示したに過ぎず、本発明は、実施形態に限定されるものではない。即ち、本発明の骨子を逸脱しない範囲で種々変形して実施することができる。
【００３５】
例えば、前記実施形態では、自動車等の車両に取り付けられる照明装置１を例示したが、本発明の照明装置は、自動車等の車両に取り付けられるものに限らず、建物等の構造物に設けられる照明装置であってもよい。さらに、前記実施形態の照明装置１は、バルブ２を保持するバルブソケット３に加えて、保護カバー４及び透過レンズ５を備えて構成されていたが、保護カバー４や透過レンズ５は必須ではなく、適宜に省略することができるとともに、保護カバー４や透過レンズ５以外の部材を備えて照明装置が構成されていてもよい。また、本発明において、バルブは、ウェッジベースバルブであるバルブ２に限らず、各種の電球が利用可能である。また、バルブにおける発光部の種別としても、白熱灯やハロゲンランプ、水銀ランプなどの内部にフィラメント等を有したものに限らず、蛍光灯やＬＥＤランプなど任意のものが利用可能である。
【符号の説明】
【００３６】
１      照明装置
２      バルブ
３      バルブソケット
４      保護カバー
５      透過レンズ
６      バスバー（端子金具）
２１    発光部
２２    基部
３１    ハウジング（ソケット本体）
３２    挿入孔
３７    規制部
３７Ａ  傾斜面部
３７Ｂ  平坦面部（第一当接部）
３７Ｃ  段付き部（第二当接部）
６１    固定部
６４    端子部
６４Ａ  第一端子部
６４Ｂ  第二端子部
６５    ばね部
６６    接点部
６６Ａ  折曲部
６６Ｂ  曲面部
６６Ｃ  先端部
【図１】
0005843640.tif 000002
【図２】
0005843640.tif 000003
【図３】
0005843640.tif 000004
【図４】
0005843640.tif 000005
【図５】
0005843640.tif 000006
【図６】
0005843640.tif 000007
【図７】
0005843640.tif 000008
【図８】
0005843640.tif 000009
【図９】
0005843640.tif 000010